(57)【特許請求の範囲】
【請求項１】
感光体の表面を放電によって一様に帯電させる帯電手段と、前記感光体を回転駆動する回転駆動手段と、画像データに応じて前記感光体を露光して前記感光体に静電潜像を形成する露光手段と、前記感光体に形成された静電潜像を現像してトナー画像とする現像手段と、前記トナー画像が転写された記録材を加熱して前記トナー画像を前記記録材に定着させる定着手段とを有し、前記記録材に画像形成を行う画像形成装置において、
前記感光体を前記帯電手段から遮蔽するための遮蔽部材と、
前記遮蔽部材を、前記感光体を前記帯電手段から遮蔽する遮蔽位置と、前記感光体と前記帯電手段との間を開放する退避位置との間で移動させる移動手段と、
電源が投入された際、前記定着手段による加熱を開始する第１の制御手段と、
前記電源が投入された際、前記遮蔽部材が前記遮蔽位置にあると前記回転駆動手段を制御して前記感光体を予め規定された第１の時間だけ回転させ、前記遮蔽部材が前記遮蔽位置にないと前記回転駆動手段を制御して前記感光体を前記第１の時間よりも長い第２の時間だけ回転させる第２の制御手段と、
前記電源がオンされた際、前記遮蔽部材が前記退避位置に移動するまでの移動時間を計測する時間計測手段と、を備え、
前記第２の制御手段は、前記電源がオンされた際、前記遮蔽部材が前記退避位置に位置しないと前記移動手段を制御して前記遮蔽部材を前記退避位置に移動させるとともに、前記時間計測手段を起動して前記移動時間を計測して、前記移動時間が予め設定された設定時間未満である場合、前記回転駆動手段を制御して前記第２の時間だけ前記感光体を回転させることを特徴とする画像形成装置。
【請求項２】
前記遮蔽部材が前記退避位置および前記遮蔽位置のいずれか一方に位置することを検出する位置検出手段を有することを特徴とする請求項１に記載の画像形成装置。
【請求項３】
前記画像形成装置は、前記画像形成が可能な状態であるスタンバイ状態と、該スタンバイ状態よりも消費電力の少ないスリープ状態とを有し、
前記第２の制御手段は前記感光体を前記第１の時間又は前記第２の時間だけ回転駆動した後、前記画像形成装置を前記スタンバイ状態とすることを特徴とする請求項１又は２に記載の画像形成装置。
【請求項４】
前記第２の制御手段による前記感光体の回転が行われる前に、前記画像形成装置の調整を行う旨のメッセージを表示する表示制御手段を有することを特徴とする請求項１〜３のいずれか１項に記載の画像形成装置。
【発明の詳細な説明】
【技術分野】
【０００１】
本発明は、複写機、ファクシミリ、又はプリンタなどの画像形成装置に関する。
【背景技術】
【０００２】
一般に、電子写真プロセスを用いた画像形成装置においては、感光体などの像担持体の表面を一様に帯電した後、画像データに応じて像担持体を露光して、像担持体上に静電潜像を形成している。
【０００３】
このような画像形成装置では、像担持体を帯電する際、主にコロナ帯電器が用いられている。コロナ帯電器は、金属ワイヤに高電圧を印加してコロナ放電を発生させることで、像担持体を帯電させている。
【０００４】
一方、コロナ放電によって、不可避的に金属ワイヤ自体に汚れが吸着するので、定期的に金属ワイヤを清掃する必要がある。さらには、金属ワイヤの交換が必要となることもある。また、コロナ放電に伴ってオゾンが大量に発生する。
【０００５】
ところで、電子写真感光体は、帯電器から発生するオゾンと空気中の水分との反応によって生成されるオゾン生成物（放電又は帯電生成物）の影響を受けて、繰り返し使用すると感光体の表面が次第に湿度に敏感となって水分を吸着しやすくなる。
【０００６】
上述のように、湿度に敏感となった感光体の表面にオゾン生成物が付着すると、オゾン生成物によって感光体の表面抵抗が低下して、静電潜像が欠落する所謂画像流れが発生する。
【０００７】
上記のような画像流れを防止するため、画像形成装置が画像形成可能なスタンバイ状態から省電力モードであるスリープ状態に移行する際、遮蔽部材によって感光体を帯電器から遮蔽するようにしたものがある（特許文献１参照）。ここでは、スリープ状態に移行する際、感光体と帯電器とを遮蔽してオゾン生成物が感光体に付着して感光体の耐久性の低下および画像流れの発生を防止している。
【先行技術文献】
【特許文献】
【０００８】
【特許文献１】特開２００７−７２２１２号公報
【発明の開示】
【発明が解決しようとする課題】
【０００９】
ところが、特許文献１においては、スタンバイ状態からスリープ状態に移行する前に、例えば、ユーザが画像形成装置の主電源をオフしてしまうと、感光体と帯電器との間を遮蔽することができない。
【００１０】
そして、感光体と帯電器とが遮蔽されていない状態で長時間放置すると、感光体にオゾン生成物が付着してしまう。このような状態で、主電源がオンされて印刷ジョブが実行されると、感光体にオゾン生成物が付着している関係上、印刷ジョブ実行の際に画像流れが発生してしまうことになる。
【００１１】
従って、本発明の目的は、スリープ状態に移行する前に主電源がオフとされた後、電源がオンされて画像形成を実行する際、画像流れが生じることのない画像形成装置を提供することにある。
【課題を解決するための手段】
【００１２】
上記の目的を達成するため、本発明による画像形成装置は、感光体の表面を放電によって一様に帯電させる帯電手段と、前記感光体を回転駆動する回転駆動手段と、画像データに応じて前記感光体を露光して前記感光体に静電潜像を形成する露光手段と、前記感光体に形成された静電潜像を現像してトナー画像とする現像手段と、前記トナー画像が転写された記録材を加熱して前記トナー画像を前記記録材に定着させる定着手段とを有し、前記記録材に画像形成を行う画像形成装置において、前記感光体を前記帯電手段から遮蔽するための遮蔽部材と、前記遮蔽部材を、前記感光体を前記帯電手段から遮蔽する遮蔽位置と、前記感光体と前記帯電手段との間を開放する退避位置との間で移動させる移動手段と、電源が投入された際、前記定着手段による加熱を開始する第１の制御手段と、前記電源が投入された際、前記遮蔽部材が前記遮蔽位置にあると前記回転駆動手段を制御して前記感光体を予め規定された第１の時間だけ回転させ、前記遮蔽部材が前記遮蔽位置にないと前記回転駆動手段を制御して前記感光体を前記第１の時間よりも長い第２の時間だけ回転させる第２の制御手段と、前記電源がオンされた際、前記遮蔽部材が前記退避位置に移動するまでの移動時間を計測する時間計測手段と、を備え、前記第２の制御手段は、前記電源がオンされた際、前記遮蔽部材が前記退避位置に位置しないと前記移動手段を制御して前記遮蔽部材を前記退避位置に移動させるとともに、前記時間計測手段を起動して前記移動時間を計測して、前記移動時間が予め設定された設定時間未満である場合、前記回転駆動手段を制御して前記第２の時間だけ前記感光体を回転させることを特徴とする。
【発明の効果】
【００１３】
本発明によれば、遮蔽部材が感光体と帯電器とを遮蔽しない位置に位置する際に電源をオフされて、感光体に帯電生成物が付着した場合においても、次の電源オンの際には、感光体を定着手段からの熱によって加熱するとともに、通常の回転時間（第１の時間）よりも長い第２の時間だけ回転させるようにしたから、感光体を乾燥させて感光体に付着した放電生成物を容易に剥離・除去することができる。
【図面の簡単な説明】
【００１４】
【図１】本発明の実施の形態による画像形成装置の一例を概略的に示す断面図である。
【図２】図１に示す画像形成装置の制御系を説明するためのブロック図である。
【図３】図１に示す一次帯電器の構成を説明するためその内部を透視して示す図である。
【図４】図１に示す画像形成装置における帯電生成物（オゾン生成物）の除去制御を説明するためのフローチャートである。
【発明を実施するための形態】
【００１５】
以下、本発明の実施の形態による画像形成装置の一例について図面を参照して説明する。
【００１６】
図１は本発明の実施の形態による画像形成装置の一例を概略的に示す断面図である。
【００１７】
図１を参照すると、画像形成装置１０１は、イメージリーダ２０およびプリンタ３０を有しており、イメージリーダ２０によって原稿上の画像を読み取って画像データを得る。そして、画像形成部であるプリンタ３０は画像データに応じて画像形成を行う。
【００１８】
この画像形成装置は、画像形成（印刷）を直ちに実行可能なスタンバイ状態と、当該スタンバイ状態よりも消費電力が少ないスリープ状態とを有している。
【００１９】
イメージリーダ２０上には、原稿給送装置５が搭載されている。原稿給送装置５は、原稿トレイ上に上向きにセットされた原稿を先頭ページから順に１枚ずつ搬送して、原稿を湾曲したパスを介してプラテンガラス６上に送る。そして、原稿はプラテンガラス６において読み取り位置を経て右側に搬送され、外部の排紙トレイ７に排出される。原稿はプラテンガラス６上の流し読み取り位置を通過する際にイメージリーダ２０によって読み取られる。
【００２０】
例えば、イメージリーダ２０は、スキャナユニット２１、ミラー２２ａ、２２ｂ、および２２ｃ、レンズ２３、およびイメージセンサ２４を有している。スキャナユニット２１は、流し読み取り位置に対応する位置に保持されており、原稿は流し読み取り位置を通過する際スキャナユニット２１によって読み取られる。この読み取り手法は、一般的に、原稿流し読みと呼ばれる手法である。
【００２１】
具体的には、原稿が流し読み取り位置を通過する際に、原稿の読み取り面がスキャナユニット２１のランプ（図示せず）の光で照射される。そして、原稿からの反射光がミラー２２ａ、２２ｂ、および２２ｃを介してレンズ２３に導かれる。レンズ２３を通過した光は、イメージセンサ２４の撮像面に結像する。
【００２２】
このように流し読み取り位置を通過するように原稿を搬送することによって、原稿の搬送方向に対して直交する方向を主走査方向とし、搬送方向を副走査方向とする原稿読み取り走査が行われる。つまり、原稿が流し読み取り位置を通過する際に主走査方向に原稿画像を１ライン毎にイメージセンサ２４で読み取りつつ、原稿を副走査方向に搬送することによって原稿画像全体の読み取りが行われる。
【００２３】
光学的に読み取られた画像はイメージセンサ２４によって画像信号に変換されて出力される。イメージセンサ２４から出力された画像信号は、後述する画像信号制御部において所定の処理が施された後、プリンタ３０に備えられた露光制御部３１にビデオ信号（画像データともいう）として与えられる。
【００２４】
なお、原稿を連続的に読み取る際、原稿給送装置５によって原稿をプラテンガラス６上に搬送して所定位置に停止させ、この状態でスキャナユニット２１を、図中左から右へ走査させて原稿を読み取るようにしてもよい。この読み取り手法は所謂原稿固定読みと呼ばれる手法である。
【００２５】
原稿給送装置５を用いないで原稿を読み取る場合には、ユーザは原稿給送装置５を持ち上げ、プラテンガラス６上に原稿を載置する。そして、スキャナユニット２１を、図中左から右へ走査させて原稿の読み取りを行う。つまり、原稿給送装置５を用いることなく原稿を読み取る場合にも、原稿固定読みが行われる。
【００２６】
プリンタ３０に備えられた露光制御部３１は、ビデオ信号（画像データ）に基づいてレーザ光を変調して出力する。このレーザ光はポリゴンミラー（図示せず）によって走査されつつ、像担持体である感光ドラム３２に照射される。そして、感光ドラム３２には走査されたレーザ光に応じた静電潜像が形成される。ここで、露光制御部３１は、原稿固定読みの際には、鏡像でない画像が形成されるようにレーザ光を出力する。
【００２７】
プリンタ３０は、画像を形成するためのシートが収納された複数の給紙カセット３３を備えている。これら複数の給紙カセット３３は、図中手前方向に引き出し可能となっている。
【００２８】
画像形成の際には、給紙カセット３３に対応して設けられた分離給紙部３３ａによって給紙カセット３３から画像形成位置にシートが一枚ずつ供給される。また、また、プリンタ３０には所謂両面複写を行うための反転パス３４が設けられており、一面に画像が形成されたシートの裏面に画像を形成する際、シートは反転パス３４に送られる。そして、シートは反転パス３４で反転されて、両面搬送パス３５によって再度画像形成位置に供給される。
【００２９】
感光ドラム３２の周囲には、一次帯電器５０（帯電手段：帯電部、現像ユニット４０（現像手段：現像部）、転写装置３６、および遮蔽部材６０が配置されている。図示の例では、感光ドラム３２は、材料としてアモルファスシリコンが用いられている。まず、一次帯電器５０に電圧が印加されて感光ドラム３２の表面を所定の帯電部電位で一様に帯電させる。一次帯電器５０はコロナ放電によって感光ドラム３２の表面を一様に帯電させる。
【００３０】
続いて、帯電された感光ドラム３２上の画像部分が所定の露光部電位になるように、露光制御部３１（露光手段：露光部）で露光を行って感光ドラム３２上に静電潜像を形成する。露光制御部３１は画像データに基づいて、例えば、半導体レーザをオン・オフ制御して、画像データに対応した静電潜像を感光ドラム３２上に形成する。
【００３１】
現像ユニット４０は現像ローラ４１を有しており、この現像ローラ４１は常に感光体ドラム３２に接した常態となっている。現像の際には、現像ローラ４１に高圧バイアスが印加されて、感光ドラム３２上の静電潜像をトナーによって現像し、トナー画像とする。
【００３２】
レーザ光の照射開始と同期したタイミングで、給紙カセット３３又は両面搬送パス３５から画像形成位置（転写位置）にシートが給送される。この転写位置は感光ドラム３２と転写装置３６とのニップ部である。そして、転写位置において、感光ドラム３２に形成されたトナー画像は、転写装置３６によってシートに転写される。
【００３３】
トナー画像が転写されたシート（記録材）は、後述する定着制御部によって制御される定着部３７（定着手段：定着部）に搬送される。定着部３７はシートを加熱加圧することによってトナー画像をシートに定着させる。定着部３７を通過したシートは排出ローラ３８を経て、プリンタ３０から排紙トレイ９０に排出される。
【００３４】
シートをその画像形成面（印刷面）が下向きになる状態（フェイスダウン）で排出する際には、定着部３７を通過したシートを、反転パス３４との分岐部に設けられているフラッパ（図示せず）を切り替えて、一旦反転パス３４内に導く。そして、シートの後端がフラッパを通過した後、シートをスイッチバックさせて排出ローラ３８によりプリンタ３０から排紙トレイ９０に排出する。以下、この排紙形態を反転排紙と呼ぶ。
【００３５】
この反転排紙は、原稿給送装置５を用いて原稿を読み取った結果得られた画像データに応じた画像形成を行う際又はコンピュータ（図示せず）から出力された画像データに応じた画像形成を行う際など先頭頁から順に画像形成するときに行われ、その排紙後のシート順序は頁順となる。
【００３６】
図１に示す手差給紙部３９からＯＨＰシートなどの硬いシートが供給され、当該シートに画像を形成する際には、シートを反転パス３４に導くことなく、画像形成面を上向きにした状態（フェイスアップ）で排出ローラ３８により排紙トレイ９０に排出する。これによって、硬いシートなどのジャムし易いシートについてはフェイスアップで排紙が行われる。
【００３７】
シートの両面に画像形成を行う両面記録（両面複写）が設定されている際には、前述のように、反転パス３４の分岐部に設けられているフラッパの切り替えによって一旦シートを反転パス３４に導いた後に両面搬送パス３５に搬送する。そして、両面搬送パス３５に導かれたシートを所定のタイミングで感光ドラム３２と転写装置３６とのニップ部（転写位置）に再度給送する。
【００３８】
図２は、図１に示す画像形成装置１０１の制御系を説明するためのブロック図である。
【００３９】
図２を参照すると、画像形成装置１０１はコントローラ部３０００およびプリンタ制御部３１００を備えている。そして、コントローラ部３０００は、印刷ジョブなどのジョブの管理を行い、プリンタ制御部３１００はプリンタ３０を制御する。つまり、プリンタ制御部３１００は画像データに応じたトナー画像をシートに形成するとともに、シートの搬送制御を行う。
【００４０】
コントローラ部３０００は、ＣＰＵ３０１、ＲＡＭ３０２、ＲＯＭ３０３、外部インタフェース（Ｉ／Ｆ）部３０４、ＰＤＬ（ｐａｇｅ  ｄｅｓｃｒｉｐｔｉｏｎ  ｌａｎｇｕａｇｅ：ページ記述言語）制御部３０５、内部Ｉ／Ｆ部３０６、および操作部３０７を有している。ＲＯＭ３０３にはＣＰＵ３０１上で動作する制御プログラムが格納されており、ＲＡＭ３０２はＣＰＵ３０１のワーク領域として用いられ、ＣＰＵ３０１で処理されるデータ（画像データ）などが格納される。これらＲＯＭ３０３およびＲＡＭ３０２はアドレスバスおよびデータバスによってＣＰＵ３０１に接続されている。
【００４１】
外部Ｉ／Ｆ部３０４は、ＰＣなどの外部機器と通信を行うためのインタフェースである。ＰＤＬ制御部３０５は受信したデータの加工、蓄積、および画像処理を行う。内部Ｉ／Ｆ３０６はプリンタ制御部３１００との通信を行うためのインタフェースである。
【００４２】
ＣＰＵ３０１は操作部３０７に対して各種情報を表示するとともに、操作部３０７におけるキー入力を受け付ける。ユーザは操作部３０７の操作（キー入力）によって操作部３０７における表示の切り替えをＣＰＵ３０１に指示する。ＣＰＵ３０１は操作部３０７に画像形成装置１０１の動作状態およびキー入力によって設定された動作モードに係る情報の表示を行う。
【００４３】
プリンタ制御部３１００は、ＣＰＵ３１１、ＲＡＭ３１２、ＲＯＭ３１３、デバイス制御部３１４、および内部Ｉ／Ｆ部３１５を有しており、内部Ｉ／Ｆ３１５によってコントローラ部３０００に接続されている。
【００４４】
ＣＰＵ３１１はＲＯＭ３１３に格納された制御プログラムに応じて画像形成に係る基本制御を行う。ＲＡＭ３１２はＣＰＵ３１１のワーク領域として用いられ、画像形成を行うためのデータ（画像データ）が格納される。これらＲＯＭ３１３およびＲＡＭ３１２はアドレスバスおよびデータバスを介してＣＰＵ３１１に接続されている。なお、ＲＯＭ３１３には、後述する制御手順等が記憶されている。
【００４５】
デバイス制御部３１４は、遮蔽モータ制御部３２０、位置検出部３２１、定着制御部３２２、および時間計測部３２３を有している。そして、デバイス制御部３１４はプリンタ３０を制御する。内部Ｉ／Ｆ部３１５はコントローラ部３０００と画像データおよびタイミング信号の送受を行う。つまり、デバイス制御部３１４はコントローラ部３０００から画像信号を受け、制御プログラムに応じてプリンタ３０を制御して画像形成を実行する。
【００４６】
なお、遮蔽モータ制御部３２０は感光ドラム３２を一次帯電器５０から遮蔽するための遮蔽部材（図示せず）を駆動する遮蔽モータ（図示せず）を制御する。位置検出部３２１は遮蔽部材の位置を検出する。定着制御部３２２は定着部３７を制御する。
【００４７】
図３は、図１に示す一次帯電器５０の構成を説明するためその内部を透視して示す図である。
【００４８】
図３を参照すると、一次帯電器５０には、帯電器筐体５０ａを有しており、この帯電器筐体５０ａは感光ドラム３２側の１面が開口されている。帯電器筐体５０ａ内には帯電ワイヤ（金属ワイヤ）５１、遮蔽部材６０、可動部材６１、および遮蔽モータ６２が収納されている。
【００４９】
可動部材６１の一端面には遮蔽部材６０の一端が取り付けられている。図示の例では、遮蔽部材６０はシート状であり、可動部材６１の移動に応じて巻き枠から引き出されて、前述の帯電器筐体５０ａの開口面を塞ぐ。図示のように、帯電器筐体５０ａの内部空間は仕切り板５０ｃによって第１および第２の室に仕切られており、第１の室に巻き枠および遮蔽モータ６２が配置されている。
【００５０】
遮蔽部材６０は仕切り板５０ｃの下端から第２の室に延びている。なお、図示のように、帯電ワイヤ５１は第２の室に配置され、その長さ（帯電器筐体５０ａの長手方向長さ）は感光ドラム３２の軸方向長さよりも長い。また、帯電ワイヤ５１は可動部材６１を貫通しており、可動部材６１の移動が帯電ワイヤ５１によって妨げられることはない。
【００５１】
遮蔽モータ６２の回転軸には、帯電器筐体５０ａの長手方向に延びるネジ軸体５０ｂが取り付けられており、ネジ軸体５０ｂは可動部材６１を貫通して螺合している。この結果、遮蔽モータ６２の回転駆動によって、ネジ軸体５０ｂに螺合する可動部材６１が帯電器筐体５０ａの長手方向に沿って移動して、それに伴って遮蔽部材６０が巻き枠から引き出されて開口を塞ぐ。これによって、遮蔽部材６０によって感光ドラム３２が帯電ワイヤ５１から遮蔽されることになる。
【００５２】
帯電器筐体５０ａには、可動部材６１の位置を検出するための可動部材検出センサ６３（位置検出手段）が取り付けられている。可動部材６１は予め規定された退避位置と遮蔽位置との間で移動し、可動部材検出センサ６３は、可動部材６１が退避位置に位置する際に可動部材６１を検出する位置に配置されている。
【００５３】
なお、可動部材検出センサ６３は可動部材６１が遮蔽位置に位置する際に可動部材６１を検出する位置に配置するようにしてもよい。いずれにしても、可動部材検出センサ６３は可動部材６１が遮蔽位置又は退避位置に位置する際に可動部材６１を検出する位置に配置するようにすればよい。
【００５４】
ここでは、可動部材６１が遮蔽位置にある際に、感光ドラム３２が帯電ワイヤ５１から遮蔽され、可動部材６１が予め定められた退避位置にある際には、帯電ワイヤ５１と感光ドラム３２との間は開放されるものとする。
【００５５】
図４は、図１に示す画像形成装置１０１における帯電生成物（オゾン生成物）の除去制御を説明するためのフローチャートである。
【００５６】
図１〜図４を参照して、いま、画像形成装置１０１において、電源がオンされると（電源が投入されると）、ＣＰＵ３１１は定着制御部３２２を制御して定着制御部３２２によってヒータ（図示せず）を動作させる。つまり、定着制御部３２２は定着部３７の加熱を開始して定着部３７の温調制御を実行する（ステップＳ４０１）。
【００５７】
続いて、ＣＰＵ３１１は位置検出部３２１を介して可動部材検出センサ６３によって可動部材６１が検出されているか否かについて判定する（ステップＳ４０２）。可動部材検出センサ６３によって可動部材６１が検出されていない場合には（ステップＳ４０２において、ＮＯ）、つまり、可動部材６１が遮蔽位置に位置して遮蔽部材６０によって感光ドラム３２が帯電ワイヤ５１から遮蔽されている場合には、ＣＰＵ３１１は遮蔽モータ制御部３２０によって遮蔽モータ６２を回転制御する（ステップＳ４０３）。これによって、ＣＰＵ３１１は可動部材６１を遮蔽位置から退避位置に向って移動させる。
【００５８】
さらに、ステップＳ４０３においては、ＣＰＵ３１１は可動部材６１の移動開始と同時に時間計測部３２３を起動して計時を開始する。そして、ＣＰＵ３１１は可動部材検出センサ６３によって可動部材６１が検出されたか否かを判定する（ステップＳ４０４）。つまり、ＣＰＵ３１１は可動部材６１が退避位置に達したか否かについて判定する。
【００５９】
可動部材６１が退避位置に達しないと（ステップＳ４０４において、ＮＯ）、ＣＰＵ３１１は待機する。一方、可動部材６１が退避位置に達すると（ステップＳ４０４において、ＹＥＳ）、つまり、可動部材検出センサ６３が可動部材６１を検出すると、ＣＰＵ３１１は遮蔽モータ制御部３２０によって遮蔽モータ６２の回転を停止する（ステップＳ４０５）。
【００６０】
この際、ＣＰＵ３１１は時間計測部３２３で計時された時間を読込む。この時間は、可動部材６１の移動を開始してから可動部材検出センサ６３が可動部材６１を検出するまでの時間（移動時間）、つまり、可動部材６１が退避位置に移動するまでの時間である。そして、ＣＰＵ３１１は時間計測部３２３をリセットする。
【００６１】
続いて、ＣＰＵ３１１は、上記の移動時間が予め設定された設定時間以上（例えば、１５秒以上）であるか否かについて判定する（ステップＳ４０６）。なお、この設定時間は可動部材６１が遮蔽位置から退避位置に移動するために要する時間に設定される。
【００６２】
移動時間が設定時間以上であると（Ｓ４０６において、ＹＥＳ）、ＣＰＵ３１１は可動部材６１を移動させる前において、可動部材６１の位置は遮蔽位置にあり感光ドラム３２が帯電ワイヤ５１から完全に遮蔽されていたと判断する。そして、ＣＰＵ３１１は通常のドラム回転時間（第１の時間、例えば、１０秒）の間だけ感光ドラム３２を回転駆動して（ステップＳ４０７：回転駆動手段又は回転駆動部）、画像形成装置１０１をスタンバイ状態とする。
【００６３】
ステップＳ４０２において、可動部材検出センサ６３によって可動部材６１が検出されていると（ステップＳ４０２において、ＹＥＳ）、つまり、可動部材６１が退避位置に位置して遮蔽部材６０によって感光ドラム３２が帯電ワイヤ５１から遮蔽していないと、ＣＰＵ３１１は遮蔽部材６０によって感光ドラム３２が帯電ワイヤ５１から遮蔽される前に電源がオフされたと判断する。
【００６４】
この場合、ＣＰＵ３１１は内部Ｉ／Ｆ３１５を介してコントローラ部３０００にその旨通知する。これによって、ＣＰＵ３０１は操作部３０７に調整中である旨を示すメッセージを表示する（ステップＳ４０８）。
【００６５】
続いて、ＣＰＵ３１１は通常のドラム回転時間よりも長い所定の回転時間（第２の時間、例えば、５分）だけ感光ドラム３２を回転駆動して（ステップＳ４０９）、画像形成装置１０１をスタンバイ状態とする。なお、ステップＳ４０６において、移動時間が設定時間未満であると（Ｓ４０６において、ＮＯ）、ＣＰＵ３１１は可動部材６１を移動させる前において可動部材６１は遮蔽位置と退避位置の途中位置に位置していたと判断して、ステップＳ４０８の処理に移行する。
【００６６】
このようにして、電源がオンされた際、可動部材６１が遮蔽位置に位置していないと、つまり、感光ドラム３２が遮蔽部材６０によって帯電ワイヤ５１から完全に遮蔽されていない状態であると、通常のドラム回転時間よりも長い時間、感光ドラム３２を回転させる。これによって、スタンバイ状態となる前に、定着部３７の熱を、感光ドラム３２を与えて感光ドラム３２を乾燥させつつ、感光ドラム３２を通常よりも長い時間、回転させるので、感光ドラム３２に付着した帯電生成物を感光ドラム３２から容易に剥離・除去することができる。これによって、画像形成の際の画像流れを防止することができる。
【００６７】
上述のように、主電源をオンした際の可動部材６１、つまり、遮蔽部材６０の位置および遮蔽部材６０の移動時間に応じて、感光ドラム３２の回転時間を制御するようにする。これによって、遮蔽部材６０が感光ドラム３２を帯電ワイヤ５１（つまり、帯電器）から遮蔽しない位置に位置する際に主電源がオフとされて、感光ドラム３２に帯電生成物が付着した場合においても、主電源がオンされた際に感光ドラム３２に付着した帯電性生物を剥離・除去することできる。この結果、印刷ジョブを実行した際の画像流れを確実に防止することができる。
【００６８】
上述の説明から明らかなように、図２において、ＣＰＵ３１１、遮蔽モータ制御部３２０、および遮蔽モータが移動手段又は移動機構として機能する。また、ＣＰＵ３１１および定着制御部３２２が第１の制御手段として機能し、ＣＰＵ３１１、位置検出部３２１、および時間計測部３２３が第２の制御手段として機能する。さらに、ＣＰＵ３０１および操作部３０７は表示制御手段として機能する。
【００６９】
以上、本発明について実施の形態に基づいて説明したが、本発明は、これらの実施の形態に限定されるものではなく、この発明の要旨を逸脱しない範囲の様々な形態も本発明に含まれる。
【符号の説明】
【００７０】
３２  感光ドラム
５０  一次帯電器
５１  帯電ワイヤ
６０  遮蔽部材
６１  可動部材
６２  遮蔽モータ
６３  可動部材検出センサ
３０００  コントローラ部
３１００  プリンタ制御部
【図１】
0005701086.tif 000002
【図２】
0005701086.tif 000003
【図３】
0005701086.tif 000004
【図４】
0005701086.tif 000005